(57)【要約】【課題】  従来の近見視力測定は、ランドルト環などの視標を目に近づけて不明瞭になった時点の判断を被験者が行うため、正確な距離を測定することが難しい。【解決手段】  視標の消失が目視で確認できる４個のピンホールをあけた黒色フィルムを用いることにより、近見視力測定の判別が容易になる。また、減光フィルターを用いて近見視力の程度に応じて３段階に切替えて測定することができる。これにより、疲れ目やドライアイの治療前と治療後の近見視力の変化や、日々の近見視力の変化などを携帯型の超音波を使用した明視計で確認することができる。【選択図】図１
2009160197.tif 000002
【特許請求の範囲】
【請求項１】
近見視力の測定時に視標の消失が目視で確認できる４個のピンホールをあけた黒色フィルムの視標を用い、その視標に減光フィルター重ねて、近見視力の程度により見え方を３段階に可変できる構造の視標ケースを設けた明視計。
【請求項２】
疲れ目やドライアイに対する点眼などの処置による、治療前と治療後の近見視力の変化を簡単に確認できる超音波を用いた携帯型の請求項１記載の明視計。
【発明の詳細な説明】
【技術分野】
【０００１】  本発明は、眼科医療及び家庭での近見視力測定に関する。
【背景技術】
【０００２】  従来の近見視力測定では視標としてランドルト環が標準視標として用いられ、ランドルト環以外には文字や数字視標が使用されている。これらの視標は白紙やフィルムに印刷されている。（例えば、非特許文献１参照）【０００３】  一方、近見視力測定には近見視力表を用いて３０ｃｍの距離で測定しているが、測定器としては各種の電動式機械式の近点距離計が使用されている。（例えば、非特許文献２参照）
また、従来の視標を使用し、従来の近見視力距離計をそのまま携帯用にした超音波簡易近点計がある。（例えば、特許文献１参照）
【非特許文献１】  所  敬・山下牧子「目でみる視力・屈折検査の進め方」、金原出版、Ｐ４０・Ｐ．５０、２００７年３月刊
【非特許文献２】  丸尾敏夫・他「眼科検査ガイド」、文光堂、Ｐ．２１２〜２１９、２００４年１１月刊
【特許文献１】  特願平１１−１７３１００
【発明の開示】
【発明が解決しようとする課題】
【０００４】  以上に述べた従来の近見視力測定のランドルト環などの視標は、目に近づけて不明瞭になった時点でその距離を測るため、不明瞭の程度やボヤケの程度の判断が被験者により異なることが多く正確な測定が難しい。【０００５】  また、測定器である近点距離計は眼科医院や眼鏡店で使用する検査装置が多く、疲れ目やドライアイに対する治療前と治療後の視力の変化の把握を目的とした、携帯型で家庭でも使用できる測定器はまだ存在していない。【０００６】  本発明は、このような従来の近見視力測定の視標の判別を分かりやすくすると共に、測定結果もその場で確認できるようにして、医療現場や薬店・家庭でも目の健康管理に役立てることを目的とするものである。
【課題を解決するための手段】
【０００７】  そして、本発明は上記目的を達成するために近見視力の測定時に視標の消失が目視で確認できる４個のピンホールをあけた黒色フィルムの視標を用い、その視標に減光フィルターを重ねて、近見視力の程度により見え方を３段階に可変できる構造の視標ケースを設けて明視計にしたものである。【０００８】  また、第２の解決手段は、疲れ目やドライアイに対する点眼などの処置による、治療前と治療後の近見視力の変化を簡単に確認できる超音波を用いた携帯型の明視計にしたものである。【０００９】  上記第１の課題解決手段による作用は次の通りである。すなわち、従来の視標を用いず４箇所にピンホールをあけた黒色のフィルムの裏面に白色の紙をセットすることにより、視標が目に近づくと４箇所のピンホールを通して見える白い点が黒色に吸収されて消失される。その消失した時点の距離を測定することで近見視力を測定できる。また、５０％や２５％の減光フィルターを視標に重ねることにより、年齢や近見視力の程度に対応した３段階の測定をすることができる。【００１０】  また、第２の課題解決手段による作用は、従来の視力検査が検査時点の正確な視力の測定を目的にしているのに対して、治療前と治療後や日々の視力の変化を把握しようとするものである。このため、超音波を使用した携帯型とすることで、誰でも手軽に近見視力の変化を把握することができる。
【発明の効果】
【００１１】  上述したように本発明の明視計は、近見視力測定の視標のボヤケの程度の判別が消失させることで容易になるとともに、減光フィルターにより３段階に切替え可能となり、１つの視標を使用して各年齢層の近見視力の測定をすることができる。さらに印刷を使用しないため、経年変化による劣化もなく視標の鮮明度を維持することができる。【００１２】  また、本発明の明視計は手軽に近見視力を測定できるため、医療現場だけでなく疲れ目やドライアイなどによる日々の目の視力の変化を把握することができるようになる。
【発明の実施するための最良の形態】
【００１３】  以下、本発明の実施の形態を図１〜図３に基づいて説明する。
【００１４】  図１及び図２は視標ケースで、視標ケース１は視標２と減光フィルターＡ３と減光フィルターＢ４及び裏面に白紙５が収納されている。視標２は板厚０．５ｍｍの黒色の樹脂のフィルムで面の中央に直径０．５ｍｍのピンホール６を４個あけている。４個のピンホール６の位置は視標２の中心点から上下左右の直線上各２．５ｍｍの位置とする。減光フィルターＡ３と減光フィルターＢ４の横幅寸法は視標２の横幅の各１／３の長さとして、それぞれ左右に視標２の上をスライドさせて中央の４個のピンホール６の上に移動させることができる構造となっている。
【００１５】  図１及び図２で視標２の板厚は０．５ｍｍの樹脂の黒色フィルムを使用しているが、０．２〜０．５ｍｍの板厚で黒い樹脂フィルムか黒色塗装した金属板などの硬い材質のものを使用する。視標２の４個のピンホール６の直径は図１で各０．５ｍｍであるが、０．３〜０．７ｍｍの中で選択することができる。同じく、図１及び図２の視標２の裏面に白紙５を使用しているが、経年変化に強い白色の樹脂のフィルムを使用することもできる。
【００１６】  図１及び図２の減光フィルターＡ３は光の透過率５０％（１／２）で、減光フィルターＢ４は同じく透過率２５％（１／４）である。減光に切替えて測定する場合には、減光フィルターＡ３を視標２の中央の４個のピンホール６の上にスライドさせると二分の一に減光し、同じく減光フィルターＢ４を視標２の中央にスライドさせると四分の一に減光する。減光率を変える場合には、使用している減光フィルターＡ３又は減光フィルターＢ４の減光率を変えるか、視標２の４個のピンホール６の直径を変更することで対応することができる。
【００１７】  また、図１及び図２の視標２の黒色フィルムと４個のピンホール６の代わりに、前述の印刷されたランドルト環を視標として用い、その視標に減光フィルターＡ３と減光フィルターＢ４を重ねて、見え方を３段階に可変することもできる。
【００１８】  図３は明視計の本体７で、視標ケース１は本体７の前面中央に取り付けられ、その上部に超音波センサー８が設けられている。本体７の前面左下部にデジタル表示器９が、右側にスタートボタン１０とリセットボタン１１及び電源スイッチ１２が配置されている。また、本体７の内部に測定及び表示用の回路と電源の電池（図示せず）が組み込まれている。
【００１９】  図３の超音波センサー８は４０ｋＨｚの送受信超音波センサーを使用しており、測定距離は５〜６０ｃｍの範囲で測定精度である分解能は１ｃｍとなっている。同じく図２のデジタル表示器９はＬＥＤ表示を用いているが液晶や他の表示素子を用いることもできる。
【００２０】  図３の明視計の本体７による測定の手順は、本体７の電源スイッチ１２をＯＮにし、本体７を両手で持って目と顔面に正対させるようにする。このためには、視標２の４個のピンホール６が４個とも同じように白く見えるように本体７の角度を調整して正対していることを確認する。４個のピンホール６で正対を確認したら、本体７を目に近づけて４個のピンホール６の白が消失した時点でスタートボタン１０を押すと、目と本体７の視標２との距離が近見視力としてデジタル表示器９にｃｍで表示される。
【００２１】  近見視力の測定は、視標２のピンホール６の白が４個とも消失した時点であるが、測定する場所によっては視標２のピンホール６の白が３個消失した時点を測定点とすることもできる。外部の光の入射角が視標２の面に対して一方向に片寄っている場合には、その入射角に該当する１個のピンホール６を除いた３個のピンホール６の白が消失した時点を測定点とすることができる。
【００２２】  本体７の視標２で、減光フィルターＡ３や減光フィルターＢ４を使用せずに近見視力を測定し、１０ｃｍ前後の視力の場合は、ひとつの目安として減光フィルターＡ３を使用する必要がある。５ｃｍ前後の場合には減光フィルターＢ４を使用することになる。
【００２３】  また、本体７と目や顔面が正対しない時や、測定距離が５〜６０ｃｍの範囲を超える場合には、デジタル表示器９に測定不能表示である「２５５」が表示される。この場合はリセットボタン１１を押して再度測定することができる。
【図面の簡単な説明】
【００２４】
【図１】  本発明の実施形態を示す明視計の視標ケース外観図
【図２】  同明視計の視標ケースの図１におけるＡ−Ａ線断面図
【図３】  同明視計の本体の斜視図
【符号の説明】
【００２５】  １  視標ケース
２  視標
３  減光フィルターＡ
４  減光フィルターＢ
５  白紙
６  ピンホール
７  本体
８  超音波センサー
９  デジタル表示器
１０  スタートボタン
１１  リセットボタン
１２  電源スイッチ
【図１】
2009160197.tif 000003
【図２】
2009160197.tif 000004
【図３】
2009160197.tif 000005